(57)【要約】【課題】エレベータの最下階乗場において各種高所作業を容易に行うことができ、且つ、作業時の足場を安定に保つことができるエレベータの足場台装置を得る。【解決手段】エレベータの最下階の乗場４から昇降路１内に突出するように、係合部材１０、長脚部１１、脚立ストッパ１２を有する足場台装置７の支持台９を配置する。この時、係合部材１０を乗場４の乗場敷居６に係合させて、支持台９が昇降路１の奥行方向に水平移動することを防止する。また、長脚部１１を昇降路１のピット２内に立設して、長脚部１１に支持台９を支持させる。そして、支持台９上に脚立８を設置し、この脚立８の落下を脚立ストッパ１２によって防止する。【選択図】図１
2010132362.tif 000002
【特許請求の範囲】
【請求項１】
エレベータの最下階の乗場で作業を行う際に、作業用に組み立てられるエレベータの足場台装置であって、
作業用組立時に、前記乗場から昇降路内に突出するように配置される支持台と、
前記支持台に設けられ、作業用組立時に、前記乗場の固定部に係合して、前記支持台が前記昇降路の奥行方向に水平移動することを防止する係合部材と、
前記支持台に設けられ、作業用組立時に、前記昇降路のピット内に立設されて前記支持台を支持する長脚部と、
前記支持台に設けられ、前記支持台上に設けられた脚立が前記支持台から落下することを防止するための脚立ストッパと、
を備えたことを特徴とするエレベータの足場台装置。
【請求項２】
脚立ストッパは、少なくともその一部が支持台の上面から突出する第１ストッパ及び第２ストッパを備え、
前記第１ストッパ及び前記第２ストッパは、前記支持台上に脚立が設けられた際に、前記脚立の両側から前記脚立の脚に接触し、前記両側の方向に対する前記脚立の水平移動を拘束することを特徴とする請求項１に記載のエレベータの足場台装置。
【請求項３】
係合部材又は脚立ストッパは、支持台に対して、昇降路の奥行方向の複数の位置に取付自在なことを特徴とする請求項１又は請求項２に記載のエレベータの足場台装置。
【請求項４】
長脚部は、上端部が支持台に対して着脱自在に設けられたことを特徴とする請求項１から請求項３の何れかに記載のエレベータの足場台装置。
【発明の詳細な説明】
【技術分野】
【０００１】
この発明は、エレベータの最下階の乗場において、エレベータの据付や改修、保守に伴う各種作業を行うためのエレベータの足場台装置に関するものである。
【背景技術】
【０００２】
従来、エレベータの据付や改修、保守を行う際に、最下階の乗場において高所作業を行う場合は、伸ばした脚立を昇降路内に立て掛け、脚立の梯子部分に上って作業を行っていた。また、エレベータの改修時のように、最下階乗場における高所作業が頻繁に行われる場合は、建築現場等で使用される専門の足場を昇降路内に組み上げ、その足場上で各種作業を行っていた。
【０００３】
しかし、伸ばした脚立を昇降路内に立て掛けた場合は、脚立（足場）が不安定であり、作業性が著しく悪化するといった問題があった。また、昇降路内に専門の足場を組み上げる場合は、エレベータに関する作業自体は行い易いものの、足場自体が大掛かりになって、その設置及び撤去作業に多大な時間と労力とが必要になるといった問題があった。
【０００４】
一方、エレベータの足場台装置に関する従来技術として、伸ばした脚立の上部側に、Ｌ字状の係止部材を取り付けたものが提案されている（例えば、特許文献１参照）。かかる足場台装置を使用して最下階乗場の高所作業を行う場合、伸ばした脚立を昇降路のピット内に立て掛ける際に、上記係止部材の下端を乗場敷居の溝内部に配置する。これにより、作業時における足場を安定させて、脚立に上った作業者が後ろ向きに倒れてしまうことを防止している。
なお、図６及び図７は従来のエレベータの足場台装置を示す図であり、下記特許文献１に記載されたものと同様の足場台装置２４を、最下階の乗場４に設置した状態を示している。
【０００５】
【特許文献１】特開２００５−３１４０８６号公報
【発明の開示】
【発明が解決しようとする課題】
【０００６】
特許文献１に記載の足場台装置は、単に伸ばした脚立を昇降路の壁面等に立て掛けたものよりは足場が安定するものの、エレベータの改修時等に必要な各種作業を行うための機能を十分に備えているとは言えなかった。
例えば、エレベータの改修等において最下階乗場の高所作業を行う場合、作業者は、最下階乗場の床面よりも上方位置に移動して作業を行うことが多い。特許文献１に記載のものは、伸ばした脚立の中間部を乗場の敷居部分に立て掛ける構成であるため、特に、図６に示すように昇降路のピットが浅い場合は、作業者が上方に移動するにつれて足場が不安定になるといった問題があった。
【０００７】
また、特許文献１に記載のものでは、その構成上、乗場の床面よりも高所に配置された部分が、昇降路の壁面よりも乗場側に配置されてしまう。このため、乗場出入口上方の昇降路壁面に設置された機器類を保守する場合や、上記壁面に昇降路側から機器類を設置する場合等には、作業姿勢が不安定になって、作業性が著しく低下するといった問題があった。
【０００８】
この発明は、上述のような課題を解決するためになされたもので、その目的は、エレベータの最下階乗場において各種高所作業を容易に行うことができ、且つ、作業時の足場を安定に保つことができるエレベータの足場台装置を提供することである。
【課題を解決するための手段】
【０００９】
この発明に係るエレベータの足場台装置は、エレベータの最下階の乗場で作業を行う際に、作業用に組み立てられるエレベータの足場台装置であって、作業用組立時に、乗場から昇降路内に突出するように配置される支持台と、支持台に設けられ、作業用組立時に、乗場の固定部に係合して、支持台が昇降路の奥行方向に水平移動することを防止する係合部材と、支持台に設けられ、作業用組立時に、昇降路のピット内に立設されて支持台を支持する長脚部と、支持台に設けられ、支持台上に設けられた脚立が支持台から落下することを防止するための脚立ストッパと、を備えたものである。
【発明の効果】
【００１０】
この発明によれば、エレベータの最下階乗場において各種高所作業を容易に行うことができ、且つ、作業時の足場を安定に保つことができるようになる。
【発明を実施するための最良の形態】
【００１１】
この発明をより詳細に説明するため、添付の図面に従ってこれを説明する。なお、各図中、同一又は相当する部分には同一の符号を付しており、その重複説明は適宜に簡略化ないし省略する。
【００１２】
実施の形態１．
図１はこの発明の実施の形態１におけるエレベータの足場台装置を示す側面図、図２は図１の足場台装置の要部を示す正面図、図３は図１の足場台装置の要部を示す平面図、図４及び図５は図１に示す足場台装置の一機能を説明するための図である。
【００１３】
図１乃至図５において、１はエレベータの昇降路、２は昇降路１のピット、３はピット２の底面、４はこのエレベータの最下階の乗場、５は乗場４の床面、６は乗場４に設けられた乗場敷居である。乗場敷居６には、乗場ドア（図示せず）の開閉方向を案内するための案内溝６ａがその長手に沿って形成されている。
また、７は足場台装置、８は足場台装置７上に設けられた汎用の脚立である。足場台装置７は、エレベータの据付や改修、保守時といった上記乗場４において高所作業等を行う際に、作業用に組み立てられるものである。なお、図１は、足場台装置７が上記各種作業用に実際に乗場４に組み立てられた時（以下、「作業用組立時」ともいう）の状態を示している。
【００１４】
具体的に、上記足場台装置７は、支持台９、係合部材１０、長脚部１１、脚立ストッパ１２によってその要部が構成される。
支持台９は、作業用組立時に、乗場４から昇降路１内に突出するように配置されるものであり、例えば、所定の幅Ｗ及び奥行Ｄを有する板状部材（天板）によって構成される。この支持台９には、作業用組立時、その上面に、汎用の脚立８が図１に示すような通常の設置状態（側面視、逆Ｖ字の状態）で載置される。
【００１５】
係合部材１０は、作業用組立時に、乗場４の固定部に係合して、支持台９が昇降路１の奥行方向に水平移動することを防止するための機能を有している。この係合部材１０は、例えば、支持台９の一側両端部にそれぞれ設けられた前部移動脚１３と差込部１４とによりその要部が構成される。
【００１６】
前部移動脚１３は、支持台９の一側を支持するためのものであり、作業用組立時に、乗場４の固定体上に載置される。本実施の形態においては、前部移動脚１３は、作業用組立時に、乗場敷居６の上面に載置されて支持台９の一側を支持する。また、前部移動脚１３は、支持台９に対する取付位置が、支持台９の奥行方向に調整自在に構成されている。具体的には、支持台９の側面に、奥行方向に開口の長手を有する長孔９ａが形成されており、前部移動脚１３は、上記長孔９ａを貫通する固定ボルト１５を介して支持台９に固定されている。即ち、前部移動脚１３は、固定ボルト１５が長孔９ａ内を移動できる範囲内でその取付位置を変更することができる。
なお、図４は係合部材１０を支持台９の一側に配置した場合を、また、図５は係合部材１０を支持台９の中央寄りに配置した場合をそれぞれ示している。
【００１７】
差込部１４は、作業用組立時に、昇降路１の奥行方向に対する支持台９の水平移動を拘束するためのものである。即ち、前部移動脚１３を乗場敷居６の上面に載置する際に、差込部１４を案内溝６ａ内に配置することにより、上記機能が実現される。この差込部１４は、前部移動脚１３と一体的に構成され、前部移動脚１３の下面から下方に突出するように形成されている。
【００１８】
なお、上記説明においては、係合部材１０が乗場敷居６に係合する場合について説明したが、上記機能を実現することができれば、係合部材１０の係合方法は如何なるものであっても構わない。
【００１９】
長脚部１１は、作業用組立時に、前部移動脚１３とともに支持台９を支持する機能を有している。この長脚部１１は、例えば、支持台９の他側両端部にそれぞれ設けられた固定脚１６及び調整脚１７と、この固定脚１６及び調整脚１７を連結する固定ボルト１８（連結手段）とにより構成される。そして、長脚部１１は、作業用組立時に昇降路１内に立設され、支持台９の他側を支持する。
【００２０】
上記固定脚１６及び調整脚１７は、例えば、一直線状に配置された四角パイプ状の棒状部材からなり、全体の長さが調整自在に構成されている。具体的には、固定脚１６の下端部に、固定脚１６の長手方向に開口の長手を有する長孔１６ａが形成されており、調整脚１７は、その上端部が、上記長孔１６ａを貫通する固定ボルト１８を介して固定脚１６の下端部に固定されている。即ち、調整脚１７は、固定脚１６の中空部内をスライド自在な構成を有しており、固定ボルト１８が長孔１６ａを移動できる範囲内で、固定脚１６に対する取付位置を変更することができる。
【００２１】
また、長脚部１１は、支持台９に対して着脱自在に構成されている。具体的に、長脚部１１は、作業用組立時、固定脚１６の上端部が、固定ボルト１９によって支持台９の下面側に固定される。即ち、この固定ボルト１９を弛緩させることにより、長脚部１１（固定脚１６の上端部）を支持台９から取り外すことができる。なお、２０は一端部が固定脚１６の中間部に回動自在に設けられたフック（斜め控え）である。このフック２０は、作業用組立時に、長脚部１１と支持台９とを安定させるためのものであり、固定ボルト１９によって固定脚１６の上端部に支持台９が固定された後、その他端部が支持台９の側面部に掛止される。
【００２２】
なお、上記説明においては、固定脚１６と調整脚１７とを連結する連結手段として固定ボルト１８を採用した場合について説明したが、上記機能を実現することができれば、その連結方式は如何なるものであっても構わない。例えば、連結手段は、固定ボルト１８による捩じ込み方式の他、ボルトナット方式等を採用することも可能である。
【００２３】
脚立ストッパ１２は、作業用組立時に、支持台９上に設けられた脚立８が支持台９から落下することを防止する機能を有している。本実施の形態における脚立ストッパ１２は、支持台９の上面に設けられた、横断面Ｌ字状を呈する２つのストッパ２１及び２２により構成される。
【００２４】
具体的に、ストッパ２１及び２２は、Ｌ字の各一側部が支持台９上で立設するように、Ｌ字の各他側部が支持台９の上面上に載置され、この他側部が固定ボルト２３によって支持台９に固定されている。そして、支持台９の上面から突出するストッパ２１及び２２の各一側面が互いに対向するように配置され、且つ、この各一側面が、支持台９上の脚立８の脚８ａに対してその両側から接触するように配置されている。即ち、支持台９上の脚立８は、ストッパ２１及び２２によって上記両側の方向に対する水平移動が拘束され、支持台９からの落下が防止されている。
【００２５】
また、ストッパ２１及び２２は、支持台９に対する取付位置が、支持台９の奥行方向に調整自在に構成されている。具体的に、支持台９の上面には、ストッパ２１及び２２を取り付けるためのネジ孔９ｂが、その奥行方向に複数組形成されており、ストッパ２１及び２２は、任意の組のネジ孔９ｂに固定ボルト２３が捩じ込まれることによって、支持台９に固定されている。即ち、固定ボルト２３を捩じ込むネジ孔９ｂを適宜選択することにより、ストッパ２１及び２２の取付位置を変更することができ、使用する脚立８の大きさや脚立８を配置したい位置等に合わせて、ストッパ２１及び２２を配置することができる。
【００２６】
なお、上記説明においては、ストッパ２１及び２２により、脚立８の脚８ａを両側から挟み込んで脚立８の水平移動を拘束する場合について説明した。しかし、脚立ストッパ１２はこのような形態に限られるものではなく、上記機能を実現することができれば、その形態は如何なるものであっても構わない。例えば、脚立ストッパ１２は、脚立８の脚８ａを支持台９に対して完全に固定する機能を備えていても良い。
【００２７】
次に、上記構成の足場台装置７を実際に乗場４に組み立てる手順について説明する。
足場台装置７は、固定ボルト１９が取り外されることにより、支持台９と長脚部１１とが分離された状態で、運搬或いは保管される。このため、作業者は、先ず、昇降路１のピット２において、固定ボルト１９を使用して支持台９と長脚部１１とを固定する。また、ピット２の構造、ピット２内の障害物（機器類）の有無、乗場敷居６の仕様、これから実施する作業内容等に合わせて、長脚部１１の長さと係合部材１０の配置を調節する。そして、差込部１４が乗場敷居６の案内溝６ａ内に配置されるように、前部移動脚１３を乗場敷居６上に設置して長脚部１１をピット２内に立設し、上面がほぼ水平になるように支持台９を安定させる。最後に、使用する脚立８の大きさや作業場所等に合わせてストッパ２１及び２２の取付位置を決定し、脚立８の設置位置を調整する。
【００２８】
この発明の実施の形態１によれば、エレベータの据付や改修、保守を行う際に、最下階の乗場４において各種高所作業を容易に行うことができ、且つ、作業時の足場を安定に保つことができるようになる。
【００２９】
即ち、乗場４に設置された足場台装置７には、乗場４から昇降路１内に突出する支持台９が設けられ、この支持台９上に、汎用の脚立８が通常の設置状態で設置されている。このため、脚立８に作業者が上っても脚立８が動いたりぐらついたりする恐れはなく、作業者が安心して各種作業を行うことができる。また、支持台９上の脚立８は、その要部が、乗場４の出入口に近傍するように昇降路１内に配置されている。このため、乗場４の出入口上方の昇降路１壁面に設置された機器類を保守する場合や、上記壁面に昇降路１側から機器類を設置する場合等でも、その作業姿勢が不安定になることはなく、作業性の悪化を防止できる。
【００３０】
なお、上記足場台装置７では、支持台９と長脚部１１とを分離することができるため、運搬に必要な労力や収納に必要なスペースを低減させることが可能となる。
また、係合部材１０や脚立ストッパ１２の支持台９に対する各取付位置、並びに、長脚部１１の長さを任意に調節できるため、各種エレベータに適用することが可能である。
【図面の簡単な説明】
【００３１】
【図１】この発明の実施の形態１におけるエレベータの足場台装置を示す側面図である。
【図２】図１の足場台装置の要部を示す正面図である。
【図３】図１の足場台装置の要部を示す平面図である。
【図４】図１に示す足場台装置の一機能を説明するための図である。
【図５】図１に示す足場台装置の一機能を説明するための図である。
【図６】従来のエレベータの足場台装置を示す図である。
【図７】従来のエレベータの足場台装置を示す図である。
【符号の説明】
【００３２】
１  昇降路、  ２  ピット、  ３  底面、  ４  乗場、  ５  床面、  ６  乗場敷居、
６ａ  案内溝、  ７  足場台装置、  ８  脚立、  ８ａ  脚、  ９  支持台、
９ａ  長孔、  ９ｂ  ネジ孔、  １０  係合部材、  １１  長脚部、
１２  脚立ストッパ、  １３  前部移動脚、  １４  差込部、  １５  固定ボルト、
１６  固定脚、  １６ａ  長孔、  １７  調整脚、  １８  固定ボルト、
１９  固定ボルト、  ２０  フック、  ２１  ストッパ、  ２２  ストッパ、
２３  固定ボルト、  ２４  足場台装置
【図１】
2010132362.tif 000003
【図２】
2010132362.tif 000004
【図３】
2010132362.tif 000005
【図４】
2010132362.tif 000006
【図５】
2010132362.tif 000007
【図６】
2010132362.tif 000008
【図７】
2010132362.tif 000009